Podtech/llm-jp-corpus-v4-ja_patent huggingface dataset:
(57)【要約】【課題】  土圧に対する安定した強度の確保を図るなどのコンクリート水路の特性を保持しながら、植物や昆虫等の小動物の最適な生息領域とすることによって、生物との共存共栄、自然との調和を図ることができる植生組立水路を提供する。【解決手段】  複数の貫通孔２１を備え、かつ該貫通孔２１の内側端面を通水性メッシュ２２にて被覆してなる複数のコンクリートパネル部材２を、間隔をおいて立設したＵ字型枠体部材３の支柱部３２間にそれぞれ立設し、種子を含む植生土のうまたは現地発生土２３を前記メッシュ２２に沿う貫通孔２１内に埋め込んだ。【選択図】  図１
2006132184.tif 000002
【特許請求の範囲】
【請求項１】
複数の貫通孔を備え、かつ該貫通孔の内側端面を通水性メッシュにて被覆してなる複数のコンクリートパネル部材を、間隔をおいて立設したＵ字型枠体部材の支柱部間にそれぞれ配設し、種子を含む植生土のうまたは現地発生土を前記メッシュに沿う貫通孔内に埋め込んだことを特徴とする植生組立水路。
【発明の詳細な説明】
【技術分野】
【０００１】
本発明は、雨水、農業用水、排水などを送水するための自然との調和のとれた植生組立水路に関するものである。
【背景技術】
【０００２】
従来から、海、河川、湖、池、浄水場などに雨水、農業用水、排水などを送水するために、コンクリート製の水路が形成されており、例えばコンクリート製のＵ字型の枠体とパネルを組み合わせた水路が形成されている。このようなコンクリート張り水路では、土圧に対する安定した強度の確保を図ることができるとともに、必要水量の確保や外部への無用の漏洩をしないなどのためには有効ではあるが、その水路際に植物が繁茂したり、昆虫等の小動物が生息することが困難なため、周囲の自然界から遊離し、自然との調和がはかりにくいものであった。
【０００３】
そこで、例えば特許文献１では、Ｕ字状枠体と板架け部材と土留板にて植生棚部を備えたコンクリート製水路を形成し、この植生棚部に充填した植生土に植物を繁茂させるようにした組立柵工が提案されている。
【特許文献１】特開２００４−１３７８９２号公報
【０００４】
しかしながら、前記Ｕ字状枠体と板架け部材と土留板のうち、Ｕ字状枠体と土留板には既製品があるが、板架け部材には既製品がないため、新たに型枠製作が必要となるなどの欠点があり、さらに土留板を板架け部材の傾斜溝に嵌合させるのに煩雑な作業を要するなどの高いコストを要するものであった。
【発明の開示】
【発明が解決しようとする課題】
【０００５】
本発明は、かかる現状に鑑み、土圧に対する安定した強度の確保を図るなどのコンクリート水路の特性を保持しながら、植物や昆虫等の小動物の最適な生息領域とすることによって、生物との共存共栄、自然との調和を図ることができる植生組立水路の提供を目的とするものである。
【課題を解決するための手段】
【０００６】
本発明は、上記の目的を達成するものであって、請求項１の発明は、複数の貫通孔を備え、かつ該貫通孔の内側端面を通水性メッシュにて被覆してなる複数のコンクリートパネル部材を、間隔をおいて立設したＵ字型枠体部材の支柱部間にそれぞれ配設し、種子を含む植生土のうまたは現地発生土を前記メッシュに沿う貫通孔内に埋め込んだことを特徴とする植生組立水路である。
【発明の効果】
【０００７】
本発明によれば、土圧に対する安定した強度の確保を図るなどのコンクリート水路の特性を保持するとともに、複数の貫通孔内に埋め込んだ植生土のうまたは現地発生土に混入されていた種子が発芽してメッシュの隙間から水路壁面に繁茂し、昆虫等の小動物の最適な生息領域ともなり、生物との共存共栄、自然との調和を図ることが可能である。既製のパネル用枠体にステンレスや樹脂等で製造したメッシュを埋め込むことができるので、新たな枠体を製造する必要がないため、経済的である。
【発明を実施するための最良の形態】
【０００８】
以下、本発明をその実施例である図面にしたがって具体的に説明する。
図１，図２において、１は本発明の植生組立水路であって、該植生組立水路１は、コンクリートパネル部材２と、Ｕ字型枠体部材３とで主として形成されてなるものである。
【０００９】
コンクリートパネル部材２は、図１，図４などに示すように、複数の貫通孔２１を備え、かつ該貫通孔２１の内側端面を通水性メッシュ２２にて被覆してなるものである。前記メッシュ２２に沿う貫通孔２１内には、種子を含む植生土のうまたは現地発生土２３が埋め込まれる空間２４が形成されている。Ｕ字型枠体部材３との連結を安定かつ容易にするために端部にＵ字型枠体部材３の側端部に形成した蟻溝３３や下側端部に形成した突起部３４と合致する接合部２５や切欠部２６を形成しておくことが望ましい。
【００１０】
Ｕ字型枠体部材３は、図１に示すように、底部３１と２本の支柱部３２が略Ｕ字状，略コ字状に一体的に形成されたものである。Ｕ字型枠体部材３は、植生組立水路の設置に際してはコンクリートパネル部材２の長さに対応する間隔をおいて立設され、コンクリートパネル部材２と連結される。コンクリートパネル部材２との連結を安定かつ容易にするために端部にコンクリートパネル部材２の端部に形成した接合部２５や下側端部に形成した切欠部２６と合致する蟻溝３３や突起部３４を形成しておくことが望ましい。
【００１１】
以下に、本発明の植生組立水路の施工方法の具体例について説明する。
【００１２】
先ず、植生組立水路１を形成すべき位置にＵ字型枠体部材３をコンクリートパネル部材２の長さに相当するだけ間隔をあけて立設する。
【００１３】
次に、ステンレスや樹脂等で製造したメッシュ２２が貫通孔２１の内面側に被覆されたコンクリートパネル部材２を隣接するＵ字型枠体３の支柱部３２間に外側方向から嵌め込み、固定する。
【００１４】
さらに、コンクリートパネル部材２のメッシュ２２に沿うように貫通孔２１内に外側から種子を詰めた植生土のう又は現地発生土２３を詰め込み、その外側に土砂４を埋め戻して図１に示すように、植生組立水路１の一側壁を形成する。同様にして植生組立水路１の他側壁を形成して植生組立水路１の設置が完成する。植生土のうまたは現地発生土２３に混入されていた種子が発芽して図２に示すように、植物５がメッシュ２２の隙間から水路壁面に繁茂し、昆虫等の小動物の最適な生息領域ともなり、生物との共存共栄、自然との調和を図ることが可能となる。
【図面の簡単な説明】
【００１５】
【図１】本発明の植生組立水路の実施例の施工途中の状態を示す斜視図である。
【図２】図１の植生組立水路の施工後において内側壁に植物が生育している状態を示す説明図である。
【図３】図２の植生組立水路において植物を除いて示したＡ−Ａ断面図である。
【図４】図１において使用したコンクリートパネル部材２の斜視図である。
【符号の説明】
【００１６】
１      植生組立水路
２      コンクリートパネル部材
２１    貫通孔
２２    メッシュ
２３    植生土のうまたは現地発生土
２４    空間
３      Ｕ字型枠部材
３１    底部
３２    支柱部
４      土砂（埋め戻し）
５      植物
【図１】
2006132184.tif 000003
【図２】
2006132184.tif 000004
【図３】
2006132184.tif 000005
【図４】
2006132184.tif 000006
(57)【要約】【課題】シュリンクラベルの一部分を趣味的に再利用できるようにする。【解決手段】熱収縮性のプラスチックフィルムをＰＥＴボトル５の外周に加熱収縮させて密着させるシュリンクラベル１において、ＰＥＴボトル５への装着時に変形しにくい部分に、図柄を印刷したアクセサリ部２を設け、その周囲にミシン目状の切目線３を入れておき、このアクセサリ部２を切目線３沿いに切り取って加熱収縮させると、厚みのあるプレート状のアクセサリが形成されるようにする。【選択図】図１
2006113472.tif 000002
【特許請求の範囲】
【請求項１】
熱収縮性のプラスチックフィルムを飲料等の容器の外周に加熱収縮させて密着させるシュリンクラベルにおいて、容器への装着時に変形しにくい部分に、図柄を印刷したアクセサリ部を設け、その周囲に切目線を入れておき、このアクセサリ部を切目線沿いに切り取って加熱収縮させると、厚みのあるプレート状のアクセサリが形成されるようにしたことを特徴とするアクセサリ作成機能付シュリンクラベル。
【請求項２】
熱収縮性のプラスチックフィルムを飲料等の容器の外周に加熱収縮させて密着させるシュリンクラベルにおいて、容器を包み込む筒状部の一側に、フィルムの延長部同士を芯板を挟んで貼り合わせ、図柄を印刷したアクセサリ部を形成し、その基部に切目線を入れておき、このアクセサリ部を切目線沿いに切り取って加熱収縮させると、厚みのあるプレート状のアクセサリが形成されるようにしたことを特徴とするアクセサリ作成機能付シュリンクラベル。
【発明の詳細な説明】
【技術分野】
【０００１】
この発明は、飲料等の容器に巻き付けられるシュリンクラベルに関するものである。
【背景技術】
【０００２】
例えば、飲料容器として使用されるＰＥＴボトルには、商品識別及び品質表示のため、熱収縮性のプラスチックフィルムから成るシュリンクラベルが装着される。このシュリンクラベルは、フィルムを加熱して収縮させると、ＰＥＴボトルの形状に応じて変形し、ＰＥＴボトルの外周に密着するようになっている。
【発明の開示】
【発明が解決しようとする課題】
【０００３】
ところで、上記のようなシュリンクラベルは、ＰＥＴボトルを廃棄する際、ＰＥＴボトルと共に、又はＰＥＴボトルから取り外して処分され、そのフィルムが再利用されることはほとんどない。しかし、耐熱性に優れた美麗な印刷が施されたフィルムを全て廃棄するのは惜しいという意見もある。
【０００４】
そこで、この発明は、シュリンクラベルの一部分を趣味的に再利用できるようにすることを課題とする。
【課題を解決するための手段】
【０００５】
上記課題を解決するため、この発明は、熱収縮性のプラスチックフィルムを飲料等の容器の外周に加熱収縮させて密着させるシュリンクラベルにおいて、容器への装着時に変形しにくい部分に、図柄を印刷したアクセサリ部を設け、その周囲に切目線を入れておき、このアクセサリ部を切目線沿いに切り取って加熱収縮させると、厚みのあるプレート状のアクセサリが形成されるようにしたのである。
【０００６】
また、容器を包み込む筒状部の一側に、フィルムの延長部同士を芯板を挟んで貼り合わせ、図柄を印刷したアクセサリ部を形成し、その基部に切目線を入れておき、このアクセサリ部を切目線沿いに切り取って加熱収縮させると、厚みのあるプレート状のアクセサリが形成されるようにしたのである。
【発明の効果】
【０００７】
このようなシュリンクラベルでは、アクセサリ部を切り取って加熱収縮させた厚みのあるプレート状のアクセサリを、携帯電話機のストラップ等として趣味的に再利用することができ、フィルムの一部分を有効に活用することができる。
【発明を実施するための最良の形態】
【０００８】
まず、この発明の第１実施形態を図１乃至図３に基づいて説明する。
【０００９】
図１に示すシュリンクラベル１は、ポリスチレン等の熱収縮性プラスチックフィルムから成り、このフィルムをＰＥＴボトル５の外周に加熱収縮させて密着させるものである。このフィルムには、ＰＥＴボトル５への装着時に変形しにくい平面に対応した部分に、図柄を印刷した方形のアクセサリ部２が設けられ、その周囲にミシン目状の切目線３が入れられている。アクセサリ部２の一角部には、紐穴９が設けられている。
【００１０】
上記のようなシュリンクラベル１では、ＰＥＴボトル５を廃棄する際、図２に示すように、アクセサリ部２を切目線３沿いに切り取って、オーブントースター等に入れ、加熱収縮させると、厚みのあるプレート状のアクセサリ４が形成される。
【００１１】
このようなアクセサリ４は、図３に示すように、紐穴９に紐を挿通して、携帯電話機６のストラップ等として趣味的に再利用することができるので、フィルムの一部分を有効に活用することができる。
【００１２】
次に、この発明の第２実施形態を図４及び図５に基づいて説明する。
【００１３】
図４に示すシュリンクラベル１は、上記のものと同様、ポリスチレン等の熱収縮性プラスチックフィルムを材料とし、このフィルムをＰＥＴボトル５の外周に熱収縮させて密着させるものである。このフィルムには、ＰＥＴボトル５を包み込む筒状部７の一側に、フィルムの延長部同士を芯板８を挟んで貼り合わせ、図柄を印刷したアクセサリ部２が形成され、その基部に筒状部７との境界に沿ってミシン目状の切目線３が入れられている。アクセサリ部２の一角部には、紐穴９が設けられている。
【００１４】
上記のようなシュリンクラベル１では、ＰＥＴボトル５を廃棄する際、図５に示すように、アクセサリ部２を切目線３沿いに切り取って、オーブントースター等に入れ、加熱収縮させると、フィルム間に芯板８を挟んでいることから、第１実施形態のものよりさらに厚みのあるプレート状のアクセサリ４が形成される。
【００１５】
また、オーブントースター等で加熱収縮させる際、芯板８によりアクセサリ部２の不等な収縮が防止されるので、印刷された図柄に歪みが生じにくい。
【００１６】
このようなアクセサリ４もまた、紐穴９に紐を挿通して、携帯電話機のストラップ等として趣味的に再利用することができるので、フィルムの一部分を有効に活用することができ、アクセサリ４はしっかりとした質感のあるものとなる。
【図面の簡単な説明】
【００１７】
【図１】第１実施形態のシュリンクラベルを装着したＰＥＴボトルの斜視図
【図２】同上のアクセサリへの加工過程を示す斜視図
【図３】同上のアクセサリの使用状態を示す斜視図
【図４】第２実施形態のシュリンクラベルを装着したＰＥＴボトルの斜視図
【図５】同上のアクセサリへの加工過程を示す斜視図
【符号の説明】
【００１８】
１  シュリンクラベル
２  アクセサリ部
３  切目線
４  アクセサリ
５  ＰＥＴボトル
６  携帯電話機
７  筒状部
８  芯板
９  紐穴
【図１】
2006113472.tif 000003
【図２】
2006113472.tif 000004
【図３】
2006113472.tif 000005
【図４】
2006113472.tif 000006
【図５】
2006113472.tif 000007
(57)【要約】【課題】学習者個々の現在の学習に必要な基礎学力の分析し、弱点を発見して弱点に対応した学習方法の情報提供、及び、弱点習得可能なスケジュールを組む。【解決手段】学習者の現在の状況から教育担当者がテスト項目を選択しユーザー端末にテストと解答表示させ学習者にテストを回答させるか理解度を問診し、ユーザー端末から結果を入力することにより、現在の学習項目だけでなく将来学習項目に必要な過去の基礎学力を掘り下げ分析し、学習者の完成基礎学力と未完成基礎学力を判定し弱点と弱点克服に必要な情報をユーザー端末へ返信する。【選択図】  図３
2006113508.tif 000002
【特許請求の範囲】
【請求項１】
過去と未来の学習項目のテストを作成し、解答を元に分析して過去の学習の中で定着していない項目と将来学習する項目の診断結果と学習計画表を作成するシステム
【発明の詳細な説明】
【技術分野】
【０００１】  この発明は、学校教育等の評価に用いるテストの作成に関する。
【特許文献１】特開２００２−１４９０４７
【特許文献２】特開２００２−１１６６８３
【背景技術】
【０００２】  従来から、コンピュータを利用した学校教育等の学力テスト編集は、図１に示すように、出題者が、カテゴリ１〜３に含まれる単元１〜６を範囲として指定しても、その原因となる部分カテゴリ４〜７に含まれる単元７〜１５は出題されないものであった。
【発明の開示】
【発明が解決しようとする課題】
【０００３】  特に過去からの学習の積み上げに現在の学力が位置する積み上げ学習では、学習課題の達成度評価だけでなく、その原因の追求が重要である。
しかしながら、目的となる学習課題を範囲として指定するのは簡単であっても、その原因部分までも範囲として指定するのは大変困難であり、従来の技術によれば、出題者にたいへんな労力と高度な教育知識を必要としている。【０００４】  そこで、この発明は、誰でも目的となる学習課題を指定するだけで、原因部分までも出題される学力テストを自動編集する方法を提供することを課題とする。
【課題を解決するための手段】
【０００５】  以上の課題を解決するために、第一発明は、学習課題を階層化したことを特徴とした学習課題データベース９である。
また、第二発明は、指定部１０で任意の学習課題を選択すると、データベース９を参照して、再帰的に展開し、テストを自動編集する装置である。
【発明の実施形態】
【０００６】  学習課題データベース９は図２の形態で提供される。
学習に必要な知識や技能は、単元として扱い、単元表２に｛単元コード，単元名，実施時期，小テストコード｝として収録される。
単元の器となる学習カテゴリは、カテゴリ表１に｛カテゴリコード，学習課題名｝として、収録される。
単元とカテゴリをリンク表６で関連付ける。
リンク元にはカテゴリコードを指定し、リンク先には、単元コードを指定する。
リンク先にカテゴリコードを指定することで、カテゴリを入れ子構造にしたサブカテゴリ７を作ることができる。
また、リンクもとのカテゴリの学習受け入れ状態に必要な学力を登録したカテゴリをレディネス８として収録できる。
リンク先は、単元・サブカテゴリ・レディネスのいずれかであり、区分コードを与えておく。
各単元の学習達成を認定する小テストは、小テスト表３に｛小テストコード，類題コード，小テスト画像ファイル名，小テスト模範解答ファイル名｝として収録される。
【０００７】  学習テストの出題者が、指定部１０で目的とする学習課題をカテゴリ表１から選択し、レディネスを展開する階層を任意に指定すると、カテゴリ内の展開部１１で、データベース９を参照して、再帰的に単元を展開する。
カテゴリ内の単元はすべて展開１２する。
カテゴリ内のサブカテゴリは、サブカテゴリを含まなくなるまで再帰的に展開１３する。
カテゴリ内のレディネスを展開１４するときは、展開時に展開階層を増やす。展開階層が、指定部１０で指定された階層に至るまで再帰的に展開する。
展開された単元は、テスト文書作成部１５によって単元表２の実施時期などで整列させるなど目的にあわせて整形され、学力テストをモニタ・印刷によって得ることができる。また、展開された単元は、展開データ保存部１６によって保存され、後に取り出すことができる。
【発明の効果】
【０００８】  第一発明の大きな特色であるレディネスという管理方法によれば、積み上げ学習の階層をシステム化することができる。これによりベテラン教師の原因追求ノウハウをデータ化できる。
第二発明によれば、学校教育等の評価に用いるテストの作成において、経験の浅い実施者でも、データベース９さえあれば原因部分の評価まで可能にするテストを作成することができる。
【図面の簡単な説明】
【０００９】
【図１】積み上げ学習の構造と従来の技術を表す図
【図２】単元の階層化とデータベースのしくみを表す図
【図３】単元の展開とテストの作成方法を表す図
【図１】
2006113508.tif 000003
【図２】
2006113508.tif 000004
【図３】
2006113508.tif 000005
(57)【要約】【課題】パソコン、テレビ、携帯電話機等の電源切断後にディスプレイパネルの表面が鏡になるようにした。【解決手段】携帯電話機のディスプレイパネルは主として液晶パネルで構成されている。ディスプレイパネルの表面板はディスプレイパネル保護のため透明板で構成されているので電源切断後にバックライトが消えるとディスプレイパネル全体が暗くなる。電源切断後ディスプレイパネルを利用するためにディスプレイパネル表面板をマジィツクミラー製にて構成し、電源切断後にディスプレイパネルが鏡になり、手鏡その他に利用できるようにした。  パソコン、テレビ等のディスプレイパネルの表面板をマジィツクミラーにて構成すると鏡として利用できる。【選択図】  図１
2006113505.tif 000002
【特許請求の範囲】
【請求項１】
ディスプレイパネル表面板をマジィツクミラー製にて構成してなるディスプレイパネルの構造。
【発明の詳細な説明】
【技術の分野】
【０００１】  本発明は、携帯電話機その他パソコン、テレビ等のディスプレイパネルに関するものである。
【背景技術】
【０００２】  従来の携帯電話機その他のディスプレイパネルは電源を切断後使用しない時はディスプレイパネルは暗くなる。
【発明が解決しようとする課題】
【０００３】  本案はディスプレイパネル表面板をマジィツクミラー製とし、電源切断後にディスプレイパネル表面が鏡になり、鏡その他に利用出来るようにした。
【課題を解決するための手段】
【０００４】  携帯電話機のディスプレイパネルは主として液晶パネルで構成されている。ディスプレイパネルの表面板はディスプレイパネル保護のため透明板で構成されているので、電源切断後にはディスプレイパネル全体が暗くなる。電源切断後にもディスプレイパネルを利用するためにディスプレイパネル表面板をマジィツクミラーにて構成し、電源切断後にディスプレイが鏡になるようにした。
【発明の効果】
【０００５】  本案は携帯電話機用ディスプレイパネルに使用すると電源切断後に鏡になるので手鏡として利用できる。
電源切断後ディスプレイ表面が鏡となる意外性と手鏡として利用できる実用性は宣伝効果をもたらすものである。携帯電話機は機種によってボタンの切り替えで液晶画面が鏡になる機能が付いているものもあるが電力を消耗する。本案は電源切断後に鏡になるので電力は消費しないのが特徴である。自分撮りの鏡として利用する場合、自分の顔をはっきり見ながらシヤッターが切れるので撮影し易い。
パソコン、テレビ等のディスプレイパネルに使用した場合、電源切断後は鏡として利用できる。
従来の携帯電話機は電池切れの場合通信不可能になるが、本案は山や海で遭難し、電池が切れて充電手段がない場合でも、晴天時に太陽光をマジィツクミラーに反射して救難信号を送ることができる。
【発明を実施するための最良の形態】
【０００６】  以下本発明の実施の形態について説明する。
（イ）液晶パネルは偏向フィルター、ガラス基板、透明導電膜、液晶分子層、カラーフィルター、ガラス基板等の組み合わせよりなり、その上にディスプレイパネル表面板を重ねて構成されている、従来のディスプレイパネル表面板は透明板で構成されているが、本案はディスプレイパネル表面板をマジィツクミラー製（１）とし、液晶パネルを構成する。液晶パネルはバックライトに白色ダイオードを使用して発光する。マジィツクミラーはバックライト発光時に透明になり、光線を透過させるので携帯電話機のディスプレイパネルに使用した場合その機能を妨害しない。電源切断後バックライトが消えるとマジィツクミラーは表面が鏡になる。
（ロ）パソコン、テレビ、ゲーム機等の液晶パネル、有機ＥＬパネル、プラズマパネル，ＳＥＤパネル等のディスプレイパネル表面板に本案のマジィツクミラーを使用する事ができる。
【実施例１】
【０００７】  本発明は以上の構成でこれを携帯電話機のディスプレイパネルに使用すると、ディスプレイパネル表面板を携帯化粧用コンパクトとして使用できるので女性層の需要がみこまれる。
【図面の簡単な説明】
【０００８】
【図１】本発明の正面図
【符号の説明】
【０００９】１  マジィツクミラー製ディスプレイパネル表面板
２  折畳み式携帯電話機
【図１】
2006113505.tif 000003
(57)【要約】      （修正有）【課題】  レンズに応力がかかり歪みを発生させることのない眼鏡枠を提供する。【解決手段】  従来からの眼鏡枠ではレンズ枠と本体バーが一体化、又は共通化していた部分を、それぞれ独立させることで本体バー２へ掛かる力をレンズ４に伝えない方法とした。ナイロン等の伸縮性のある糸３をレンズ枠代わりとして、その糸の複数部分の箇所を点状で本体バーに保持用突起１によって固定することでレンズに無理の掛からない眼鏡枠とした。【選択図】      図３
2006113503.tif 000002
【特許請求の範囲】
【請求項１】
レンズの周囲に形成させた溝にナイロンテグス等の伸縮する糸を回し、その糸を眼鏡枠から突き出した保持用突起に支持させることによってレンズ本体を眼鏡枠に固定させた、溝支持式眼鏡枠
【請求項２】
請求項１に示した保持用突起に糸を通し、レンズの周囲に形成した溝に対して確実に安定して嵌入させるには、突起へ通り入る糸と通り出る糸の双方が直線的に並ぶように形成する必要がある。
そのため突起の通り入る道と通り出る道を同じ方向を向け、双方の糸が引っ張り合ったとき直線的になるようにした、保持用突起を持つ、溝支持式眼鏡枠
【発明の詳細な説明】
【発明の詳細な説明】
【０００１】  本発明は、眼鏡枠やサングラス枠にレンズを固定させる方法に関するものである。レンズの周囲に溝を掘りナイロンテグス等の糸による固定の方法は従来からあるが、この場合レンズの保持は溝に嵌入するガイドを持った支持固定用の形成物にレンズを合わせ、糸は支持固定物から脱落しないようレンズを常に圧着させる役目をしている。
本発明は、支持固定させる役目と脱落しないよう圧着させる役目を糸そのものにさせるようにしている。安定して固定させるには３ヶ所以上の保持用突起が必要となるがレンズの大きさに比較して目立たないのでレンズ自身が独立しているように見せることが出来る。
又、レンズを保持する支点が小さくてすむのでレンズ自体に応力がかからず特に眼鏡を掛けているときに発生しやすいレンズの歪みの発生を抑えることができる。
本発明の一番の特色はここにあり、外観上スッキリ見える点も含め、レンズ自体に無理をかけない眼鏡枠の理想といえるものである。また、従来の仕組みではレンズの強度面からもレンズコバ厚の薄さにも限界があったが、外力がかからない、という本発明の特徴を生かして糸の太さ程度までにすることが可能となる。このようにレンズをさらに薄くできるので眼鏡の軽量化にも対応可能となる。
本発明に欠くことの出来ない構成物として、糸３を固定保持させる保持用突起１を眼鏡枠の本体バー２に３ヶ所以上設ける。この保持用突起１には２ヶ所の穴および切れ込みがあって、糸３はレンズ４側から入って再びレンズ４側に戻るようセットさせる。レンズ４の外周には糸３が嵌入する溝５が掘ってあり糸３の収縮力でレンズ４を保持用突起１に固定保持ができる。糸３の周長はレンズ４の外周より短くしてあり、溝５に伸張させて嵌め込む。
【０００２】  この発明を図において説明すると、レンズ４を固定保持させる保持用突起１は図４のようにレンズ４の溝の方向に向かって出てくる形がとれれば２ヶ所の穴だけでなく図５のようにＳ字状の切れ込みの入ったものでもよくこの保持用突起１は眼鏡本体である本体バー２に固定されている。眼鏡を装用するとき挟み込む力は本体バー２の弾力が必要となるが、レンズ４への外力がかからず歪みなどの発生が抑えられる。
【産業上の利用分野】
【０００３】  この溝支持眼鏡枠は眼鏡レンズがガラスからプラスチック素材に変貌をとげた現在の眼鏡市場に絶大の効果を生むことができる。プラスチックレンズの特徴のひとつに弾力性が強いことがあるが、これが従来型の眼鏡ではレンズの歪みを発生させている要因ともなっている。そのこともあって眼鏡レンズの薄型化に限界があったが、本発明の溝支持眼鏡枠なら応力もかからず、さらなる薄型化が可能となってくることと、眼鏡枠の重量も各部品の簡素化で軽くすることができるので軽くレンズの歪みもなくたいへん装用感のよい眼鏡枠としてその利用価値は高いものとなる。
【発明の実施例】
【０００４】（実施例１）
支持用突起１を本体バー２の鼻側に距離をおいて複数ヶ所、耳側に１ヶ所設け、糸３の収縮力によってレンズ４を眼鏡の本体バー２に固定させた眼鏡枠。
（実施例２）
支持用突起１を本体バー２の鼻側に１ヶ所、耳側に複数ヶ所距離をおいて設け、糸３の収縮力によってレンズ４を眼鏡の本体バー２に固定させた眼鏡枠。
【図面の簡単な説明】
【図１】本発明の側面図である。
【図２】本発明の正面図である。
【図３】本発明の平面図である。
【図４】本発明の支持用突起１の基本的な斜視図である。
【図５】本発明の支持用突起１の応用例の斜視図である。
【図６】本発明の図３のうちＡ−Ａ｀の嵌入断面図である
【符号の説明】
１    支持用突起
２    本体バー
３    糸
４    レンズ
５    レンズ４の外周に掘った溝
【図１】
2006113503.tif 000003
【図２】
2006113503.tif 000004
【図３】
2006113503.tif 000005
【図４】
2006113503.tif 000006
【図５】
2006113503.tif 000007
【図６】
2006113503.tif 000008
(57)【要約】【課題】資源が有効に利用でき、容易に製版を行うことが可能である、フレキソ印刷用刷版およびその製版方法を提供する。【解決手段】ＵＶ感光乳剤層上に保護フィルムを有するフレキソ印刷用刷版であって、ポジ画像あるいはネガ画像を該保護フィルム上に印刷することを特徴としてなる。さらに、前記保護フィルム上に、インクジェットプリンタによりポジ画像あるいはネガ画像を印刷することを特徴とする。さらに、前記保護フィルム上に、インク受容層を有することを特徴とする。【選択図】        なし【特許請求の範囲】
【請求項１】
ＵＶ感光乳剤層上に保護フィルムを有するフレキソ印刷用刷版であって、ポジ画像あるいはネガ画像を該保護フィルム上に印刷する製版方法。
【請求項２】
請求項１記載の保護フィルム上に、インクジェットプリンタによりポジ画像あるいはネガ画像を印刷する製版方法。
【請求項３】
請求項１または請求項２記載の保護フィルム上に、インク受容層を有することを特徴とするフレキソ印刷用刷版。
【発明の詳細な説明】
【技術分野】
【０００１】
本発明は、ＵＶ感光乳剤層上に保護フィルムを有するフレキソ印刷用刷版及び製版方法に関するものである。
【背景技術】
【０００２】
ＵＶ感光乳剤層上に保護フィルムを有するフレキソ印刷用刷版において、該保護フィルムの用途はＵＶ感光乳剤層の保護のみに用いられているのが一般的であり、該保護フィルムを剥がしゴミとして処分しているのが現状である。そして、剥がした該保護フィルムに替わり、別に用意したネガ画像またはポジ画像を印刷済みである製版用フィルムをＵＶ感光乳剤層上に貼り合わせた後、露光および現像を行い、可溶部分を除去する製版方法が主流である。しかしながらこの製版方法では、保護フィルムはＵＶ感光乳剤層の保護のみに用いられていることから、限りある資源が有効に使われていない。さらには、ＵＶ感光乳剤層と製版用フィルムの貼りあわせを個々ユーザーが行う必要があることから、位置合わせがずれてしまうと品質低下が起き、また貼り合わせの際に空気が混入しまうと製版用フィルムとUV感光乳剤層との間に隙間が生じるため、露光時にエッジが滲んでしまう。したがって貼り合わせに特別な装置が必要であったり、さらには作業に熟練を要する、といった問題があった。
【０００３】
特開平１０−２５００２８では、製版用フィルムにインクジェット方式でネガ画像印刷を行った後に、該製版用フィルムと感光乳剤層とを貼りあわせ、その後露光の工程を行う方法が示されている。しかしながら、この製版方法では、前記位置合わせの困難や空気の混入の問題について解決に至っていない。特開２００２−３６１８２０では、感光乳剤層上に製版フィルムを介さず、直接ネガ画像をインクジェットで形成した後、露光を行う製版方法が述べられている。しかしながら、この製版方法では、感光乳剤層上にインクジェットインクを塗布した際、インクジェットインクを感光乳剤層表面に留めておくのは困難であり、感光乳剤層内部への浸透により露光が不十分になる、あるいは感光乳剤層上でのインクジェットインク滲みが発生することにより細線が表現できない、などの不具合が生じる可能性がある。
【特許文献１】特開平１０−２５００２８
【特許文献２】特開２００２−３６１８２０
【発明の開示】
【発明が解決しようとする課題】
【０００４】
本発明の目的は、資源が有効に利用でき、容易に製版を行うことが可能である、フレキソ印刷用刷版およびその製版方法を提供することにある。
【課題を解決するための手段】
【０００５】
ＵＶ感光乳剤層上に保護フィルムを有するフレキソ印刷用刷版であって、ポジ画像あるいはネガ画像を該保護フィルム上に印刷することを特徴としてなる。また、前記保護フィルム上に、インクジェットプリンタによりポジ画像あるいはネガ画像を印刷するとよい。また、前記保護フィルム上に、インク受容層を有するとよい。
【発明の効果】
【０００６】
資源が有効に利用でき、容易に製版を行うことが可能である、フレキソ印刷用刷版およびその製版方法を提供することができる。
【発明を実施するための最良の形態】
【０００７】
本発明者らは鋭意検討の結果、ＵＶ感光乳剤層上に保護フィルムを有するフレキソ印刷用刷版であって、ポジ画像あるいはネガ画像を該保護フィルム上に印刷することによって、資源が有効に利用でき、容易に製版を行うことが可能である、フレキソ印刷用刷版およびその製版方法を提供するに至った。
【０００８】
ポジ画像あるいはネガ画像を保護フィルム上に印刷することによって、製版用フィルムを新たに用意する必要が無くなることから、省資源化が期待される。さらには熟練の技術や専用の装置が必要である製版用フィルムをＵＶ感光乳剤層上に貼り合わせる工程が不要になるため、高品質のものを安価でかつ安定して作成することが可能となる。
【０００９】
また、保護フィルム上に印刷するパターンは、従来の製版フィルムで用いているものと同様、ポジ画像あるいはネガ画像を印刷するとよい。マスクパターンの印刷方法は、オフセット印刷、フレキソ印刷、グラビア印刷、スクリーン印刷、熱転写印刷、レーザー印刷、インクジェット印刷などがありいずれのものでも使用可能であるが、コストパフォーマンスの点において、インクジェットプリンタによるインクジェット印刷が好ましい。
【００１０】
また、保護フィルム上に直接印刷してもよいが、インク受容層があらかじめコーティングされているものがより好ましい。
【実施例１】
【００１１】
以下に実施例を挙げて本発明を具体的に説明するが、本発明がこれによって限定されるものではない。
【００１２】
ＵＶ感光乳剤層上にポリエチレンテレフタレートの保護フィルムを設け、溶剤系黒色インクを用い、保護フィルム上にインクジェットプリンタにてポジ画像を出力した後、ＵＶランプによる露光を１０cmの距離から７０００ルクスにて１５時間行った。その後未硬化部分の洗浄を行い、フレキソ印刷用刷版を得た。
【実施例２】
【００１３】
実施例１で用いた保護フィルムの替わりに、インク受容層を塗布したポリエチレンテレフタレートの保護フィルムを用いた以外は、実施例１と同様にしてフレキソ印刷用刷版を得た。
【００１４】
従って、ＵＶ感光乳剤層上に保護フィルムを有するフレキソ印刷用刷版であって、ポジ画像あるいはネガ画像を該保護フィルム上にインクジェットプリンタにて印刷することにより、本発明を提供することが可能となった。保護フィルム上に、インク受容層を有することにより、より効果が得られた。
(57)【要約】      （修正有）【課題】物理学の津波の原理と慣性の法則を応用した感振スイッチ。【解決手段】このスイッチは地震の場合に作動いて倒壊家屋のブレーカーをＯＦＦにしたり、警報装置の電源をＯＮにしたり、または作動中の機械が以上振動を起こした場合などに制御する目的です。  本体１、感振体２、感振板３、感振板押え４で構成します。【選択図】  図１
2006113035.tif 000002
【特許請求の範囲】
【請求項１】
本体に感振体を入れて、一定の揺れを感振体が感知すると動いて、感振板を作動させる仕組みの感震スイッチ。
【発明の詳細な説明】
【発明の詳細な説明】
この発明は本体と感振体、感振板及び感振板押えから構成したものです。
本体に流動性の感振体を入れ、感振体が小さな揺れを感知したときは感振体は細波の様にしか揺れませんが、急激な揺れを感知した場合に感振体は津波の際のうねりとなり、そのエネルギーは大きな力で本体にぶつかって本体と感振板の間の空間に作用します。このうねりの運動エネルギーにより感振体側に湾曲した感振板が反転して各種の制御に寄与する構造のもです。
また、振動が大きな縦揺れの場合には、慣性の法則により、感振体が縦方向に働いて感振板を作動させる構造のものです。
【図面の簡単な説明】
【図１】本発明の正常時の断面図
【図２】本発明の作動時の断面図
【符号の説明】
１は本体、２は感振体、３は感振板、４は感振板押え、５は感振駒を示します。
【図１】
2006113035.tif 000003
【手続補正書】
【提出日】平成17年3月30日(2005.3.30)
【手続補正１】
【補正対象書類名】図面
【補正対象項目名】全図
【補正方法】変更
【補正の内容】
【図１】
2006113035.tif 000004
【図２】
2006113035.tif 000005
(57)【要約】      （修正有）【課題】電子マネー表記のカスタマイズを提供する。【解決手段】電子マネーのカード内やＩＣチップ内に利用者の選んだ国別のコード、言語別のコード、地域別のコード、通貨単位のコードを持たせる事により、電子マネー決済時のディスプレイ画面表示等を利用者に分かりやすくさせ、使用者に適したガイドを行う。【選択図】なし【特許請求の範囲】
【請求項１】
現在、日本国内で使用されている電子マネーは、日本国内で日本語による利用を主に考えられている。  これを国外利用時、及び外国人が日本国内にて電子マネーを利用する際に利用者の母国語や母国の通貨単位を使用する事により利便性を高めるものである。
【発明の詳細な説明】
【技術分野】
【０００１】
本発明は電子マネーのカード内やICチップ内に利用者の選んだ国別のコード、言語別のコード、地域別のコード、通貨単位のコードを持たせる事により、電子マネー決済時のディスプレイ画面表示等を利用者に分かりやすくさせるものである。
国別/言語別/地域別/通貨別コードにより、利用者にとって一番利用し易い言語(これには複数言語を同時に表示させる必要がある場合もある)や、利用者の母国の通貨単位や利用したい通貨単位(これも複数の通貨単位を同時に表示させる必要がある場合もある)が分かる。
【０００２】
これらカードに対応した言語情報、通貨情報を電子マネー決済機側に持たせることで、電子マネー使用時のガイドは全て母国の言語で表示させる事が出来る。  更に決済時の通貨単位表示については現地で購入した電子マネーであれば、現地通貨金額と母国通貨換算金額、もしくは母国で購入した電子マネーであれば、母国通貨金額と現地通貨換算金額の２つの通貨単位での金額を表示させる事により、買い物時の通貨計算が非常に楽になるものである。
【０００３】
本発明の国別/言語別/地域別/通貨別コードを持っていないカードの場合、そのカード特有の情報や差異により国や通貨単位が識別出来れば、それを利用してこれら識別コードの代替とする。
(57)【要約】【課題】  コピー料金は一定の料金が決められていて、その料金に対してサービスされるようにする。【解決手段】  コピー機を通信回線にてサーバと接続し、サーバから提供されるアンケート等の質問項目を表示し、質問に答えることによって、情報を収集している企業が料金の一部を負担し、使用者のコピー料金を減額する。【選択図】  図２
2006113948.tif 000002
【特許請求の範囲】
【請求項１】
公共の場に設置されていて、使用するために一定の料金を支払う必要のあるコピー装置であって、
ネットワークにてサーバと接続され、
コピーの動作時間中に操作部にアンケート等の質問項目が表示され、
質問に答えることによって、情報を収集している企業が料金の一部を負担する
ことを特徴とするアンケート表示コピー装置およびそのサービス。
【請求項２】
質問の内容は、あらかじめ算出されたコピー動作の時間によって、変更されることを特徴とする請求項1のアンケート表示コピー装置およびそのサービス。
【請求項３】
変更された質問の内容によって、企業の負担する料金やサービス内容が変更されることを特徴とする請求項２のアンケート表示コピー装置およびそのサービス。
【請求項４】
明らかに動作時間が回答時間に対して短いと思われるときは質問の画面表示を行わないことを特徴とする請求項1のアンケート表示コピー装置およびそのサービス。
【請求項５】
明らかに動作時間が回答時間に対して短いと思われるときは、動作終了後に質問に答えるかどうかの選択画面の表示を行い、答える場合にはコピー動作終了後にアンケートを実施することを特徴とする請求項４のアンケート表示コピー装置およびそのサービス。
【請求項６】
公共の場に設置されていて、使用するために一定の料金を支払う必要のあるコピー装置であって、
ネットワークにてサーバと接続され、
コピーの動作時間中に操作部にアンケート等の質問項目が表示され、
質問に答えることによって、情報を収集している企業が何らかのサービスを提供する
ことを特徴とするアンケート表示コピー装置およびそのサービス。
【請求項７】
質問の内容は、あらかじめ算出されたコピー動作の時間によって、変更されることを特徴とする請求項６のアンケート表示コピー装置およびそのサービス。
【請求項８】
変更された質問の内容によって、企業の負担する料金やサービス内容が変更されることを特徴とする請求項７のアンケート表示コピー装置およびそのサービス。
【請求項９】
明らかに動作時間が回答時間に対して短いと思われるときは質問の画面表示を行わないことを特徴とする請求項６のアンケート表示コピー装置およびそのサービス。
【請求項１０】
明らかに動作時間が回答時間に対して短いと思われるときは、動作終了後に質問に答えるかどうかの選択画面の表示を行い、答える場合にはコピー動作終了後にアンケートを実施することを特徴とする請求項９のアンケート表示コピー装置およびそのサービス。
【発明の詳細な説明】
【技術分野】
【０００１】
本発明は、公共の場に設置されていて、使用するために一定の料金を支払う必要のあるコピー装置に関し、コピーの動作時間中に操作部にアンケート等の質問項目が表示され、質問に答えることによって、情報を収集している企業が料金の一部を負担することを特徴とするアンケート表示コピー装置およびそのサービスに関する。
【背景技術】
【０００２】
コンビニ等のコピーサービスやプリントサービスを行っているところでは、使用者がコピー枚数またはプリント枚数等に相応する対価を支払い、コピーまたはプリントを行っている（例えば、特許文献１）。
【特許文献１】特開２０００−３５７０７１号公報
【発明の開示】
【発明が解決しようとする課題】
【０００３】
コンビニ等のコピーサービスを行っているところで、コピー動作実行中の待ち時間に使用者は特にすることもなく機械の前に拘束されている。また、コピー料金は一定の料金が決められていて、その料金に対してサービスされることは無いのが現状である。
【課題を解決するための手段】
【０００４】
上記課題を解決するため、コピー機を通信回線にてサーバと接続し、サーバから提供されるアンケート等の質問項目を表示し、質問に答えることによって、情報を収集している企業が料金の一部を負担し、使用者のコピー料金を減額する。
【発明の効果】
【０００５】
本発明によれば、コンビニ等のコピーサービスを行っているところで、コピー動作実行中の待ち時間に使用者はサービス提供企業のアンケート等で時間を有効に使え、そのことによってコピー料金を削減することができる。
【発明を実施するための最良の形態】
【０００６】
図1は本実施例の、構成を示した模式図である。コンビニエンスストアに設置されたコピー機と、データセンタに設置されたサーバが、ネットワーク回線にて接続されている。コピー機は、コインベンダに硬貨が投入されることを起点とし、サーバとの通信を開始する。
【０００７】
図2にコピー機とサーバの通信のフローを示す。使用者によりコインが投入されると、コピー機はコイン投入通知をサーバへ送信する。コイン投入通知を受け取ったサーバは、ユーザにサービスを提供するアンケートの存在を確認し、アンケートが存在するならば、アンケートの存在通知をコピー機へ知らせる。コピー機側では並行して使用者が操作しており、コピーが開始される。コピーが開始されると、コピー機はそのコピー作業にかかる時間を予測し、アンケート回答に十分なコピー時間があると判断すると、サーバへアンケート送信要求を送る。サーバは、アンケート送信要求と、その情報に付加されたコピー予測時間から、好適なアンケートを選択し、コピー機へアンケートを送信する。アンケート情報を受信したコピー機は、コピー終了を待っている使用者に対し、そのアンケートを操作部に表示する。コピー終了を待っている使用者は、コピー機の操作部を操作し、アンケートへの回答を入力する。アンケート入力が終了すると、コピー機はアンケート結果をサーバに対し送信する。アンケート結果を受け取ったサーバは、そのアンケート内容に従った課金割引内容をコピー機に送信する。課金割引情報を受け取ったコピー機は、その割引内容を操作部に表示して使用者に知らせ、割引後の返金を、コインベンダにて、使用者に対し行う。返金を行ったコピー機は、返金が終了通知をサーバに対し行う。
【図面の簡単な説明】
【０００８】
【図１】ネットワーク構成図。
【図２】通信フロー図。
【図１】
2006113948.tif 000003
【図２】
2006113948.tif 000004
(57)【要約】【課題】  サイリスタなどで位相制御された電源電圧が印加されると、サイリスタなどが導通した瞬間の急峻な電圧、電流の変化に対して、ノイズフィルタを構成するコイルとコンデンサ、そして配線の誘導成分が共振を起こし、サイリスタなどが誤動作する。これを防止した安定した電源装置を提供する。【解決手段】  サイリスタなどで位相制御された交流電圧を電源とし、前記電源を直流に整流する全波整流器の後にコイルとコンデンサよりなるノイズフィルタを設けた電源装置。【選択図】  図１
2006113990.tif 000002
【特許請求の範囲】
【請求項１】
サイリスタなどで位相制御された交流電圧を電源とし、前記電源を直流に整流する全波整流器の後にコイルとコンデンサよりなるノイズフィルタを設けた電源装置。
【発明の詳細な説明】
【技術分野】
【０００１】  本発明は、サイリスタ等で位相制御された電源回路のノイズ対策に関するものである。
【背景技術】
【０００２】  スイッチング電源回路等は、半導体等を用いて高速で電流を導通、遮断する動作を行うため、ノイズを生じる。【０００３】  発生したノイズは、他の機器に対して誤動作、雑音発生などの悪影響を及ぼすため除去する必要がある。その為、一般に電源端子と全波整流器との間に、コイルとコンデンサから構成されたノイズフィルタが設けられている。【０００４】  図２は、従来から一般に使用されている電源装置の一実施例を示すブロック図である。サイリスタなどで位相制御された交流電源と全波整流器との間に、コイルとコンデンサにより構成されたノイズフィルタが設けられ、全波整流器で変換された直流電圧は、インバータ回路で所定の電圧に変換され、負荷に供給される。【０００５】  サイリスタなどで位相制御された電源電圧が印加されると、サイリスタなどが導通した瞬間の急峻な電圧、電流の変化に対して、ノイズフィルタを構成するコイルとコンデンサ、そして配線の誘導成分が共振を起こし、電源電流が共振周波数で振動する。【０００６】  電源電流波形に振動が生じるとサイリスタなどに流れる電流が０になる期間が生じ、サイリスタなどが正常に導通できないか、もしくは不要に遮断してしまい、安定した位相制御が行えなくなる。【０００７】  安定した位相制御を行なわせるためには、サイリスタ等が導通する瞬間の急峻な電圧、電流の変化を緩和する必要があり、その手段として図３に示すようなサイリスタなどにチョークコイル１を直列に接続することが考えられている。この方法では、大型のチョークコイルによる寸法、重量の増加、コストの増加が問題になる。
【発明の開示】
【発明が解決しようとする課題】
【０００８】  上記問題点を解決するためには、サイリスタ等に安定した位相制御を行なわせる必要があり、サイリスタなどが導通した瞬間の急峻な電圧、電流の変化に対して、ノイズフィルタを構成するコイルとコンデンサ、そして配線の誘導成分が共振しないようにする必要がある。
【課題を解決するための手段】
【０００９】  前記問題点を達成するため、本発明は、サイリスタなどで位相制御された交流電源でノイズフィルタが共振し、振動した電源電流が流れないように、コイルとコンデンサよりなるノイズフィルタを、サイリスタなどで位相制御された交流電圧の後に接続せず、全波整流器の後の直流側に設ける。
【発明の効果】
【００１０】  以上のように、本発明によれば電源電流波形に共振による振動が生じないため、安定した位相制御ができ、余分なチョークコイルが不要となり、小型かつ低価格が可能となる。
【発明を実施するための最良の形態】
【００１１】  以下、図面に基づき本発明の実施の形態を説明する。【００１２】  図１は、本発明の実施例を示す電源装置のブロック図である。【００１３】  サイリスタなどで位相制御された交流電圧は、全波整流器で直流に変換され、この直流電圧は、コイルおよびコンデンサからなるノイズフィルタを経由し、インバータ回路を動作させ、負荷に所定の電圧を供給する。【００１４】  この時、ノイズフィルタには直流が印加されるため、共振電流が流れず、その結果、サイリスタなどは電流が０になる期間がなく、安定した位相制御が可能となる。
【図面の簡単な説明】
【００１５】
【図１】本発明の実施例を示す電源装置のブロック図。
【図２】従来の実施例を示す電源装置のブロック図。
【図３】従来の電源部の回路図。
【符号の説明】
【００１６】  １  チョークコイル
【図１】
2006113990.tif 000003
【図２】
2006113990.tif 000004
【図３】
2006113990.tif 000005
(57)【要約】      （修正有）【課題】マウスの長時間使用による、指や腕に感じる疲労やストレスを解消する。【解決手段】マウス操作機器の側面部に指を入れる穴（ホール）１を設置し、ホールの中を温めることにより指先を通じ疲労が回復し、またストレスが解消される。ホール内もゼリー状の素材を使用することにより、触る感触からも疲労の回復やストレスの解消につながる。【選択図】図１
2006113997.tif 000002
【特許請求の範囲】
【請求項１】
コンピューターを操作する際に使用する「マウス操作機器」について、操作機器本体の側面に保温穴（ホール）を設置する。
【請求項２】
指先を入れるホール内を保温または冷却することにより、使用時において指先を暖める（冷やす）事、が可能になる。指先を保温や冷却させることで、長時間使用による腕の疲労やストレスを解消する機能を備え持ったマウス操作機器である。
【発明の詳細な説明】
【技術分野】
【０００１】本発明はコンピューターを操作するためのマウス機器を使用する際に、特に使用しない指を保温または冷却させ指先や手、肩の疲労を解消させる機器であり、健康器具に関するものである。
【背景技術】
【０００２】従来の「マウス操作機器」においては、スイッチやスクロール機能、または小型軽量化を充実させる機器が主流になっているものである。【０００３】従来のマウスには、長時間使用による疲労の回復をさせるための保温や冷却させる機能を備えたマウス機器はなかった。
【発明の開示】
【発明が解決しようとする課題】
【０００４】従来のマウスは指先を保温や冷却させることが出来なかっため、長時間使用すると、疲労またはストレスのため腱鞘炎や筋肉の痙攣等が現れてくる問題点があった。
【課題を解決するための手段】
【０００５】上記の課題点を解決するために、本発明はマウス操作機器の本体側面部に指の疲れを癒すための保温または冷却機能を持った穴（ホール）を取り付けた。
【発明の効果】
【０００６】本発明は指先を保温または冷却することが可能になるため、長時間の使用にも疲労やストレスがなく、リラックスした気分で作業が続けられる。
【発明を実施するための最良の形態】
【０００７】マウス操作機器の本体側面部に指先を入れる穴（ホール）を設置し、ホール内には保温または冷却しやすく、触りごごちの良いゼリー状の素材を細かく「のれん」の様に吊した。
【実施例１】
【０００８】実施例について図面を参照して説明すると、図１において１に右手親指を入れ図２の２へ右手薬指、図２の３にと小指を入れる。
【実施例２】
【０００９】パソコンにスイッチが入ると同時に図１の１及び図２の２、３のホール内が温まる。また、スイッチを切り替えることにより冷却することも出来る。
【図面の簡単な説明】
【００１０】
【図１】発明品本体を左側面から見た外見図である。
【図２】発明品本体を右側面から見た外見図である。
【符号の説明】
【００１１】１  右手親指入れる保温（冷却）ホール
２  右手薬指を入れる保温（冷却）ホール
３  右手小指を入れる保温（冷却）ホール
【図１】
2006113997.tif 000003
【図２】
2006113997.tif 000004